(57)【特許請求の範囲】
【請求項１】
筐体内にファン装置を備えた携帯型情報機器であって、
前記筐体の前記ファン装置に対応する部分に対するユーザによる把持を検出する検出手段と、
前記検出手段が、前記筐体の前記ファン装置に対応する部分に対するユーザによる把持を検出した場合に、前記ファン装置の回転を停止させる制御手段と、
を備え、
前記ファン装置は、キーボードの下方に配置され、
前記検出手段は、前記ファン装置の近傍に配置されている、前記キーボードの１又は複数のキーの押下を含む所定の状態を検出した場合に、前記筐体の前記ファン装置に対応する部分に対するユーザによる把持を検出することを特徴とする携帯型情報機器。
【請求項２】
前記制御手段は、前記ファン装置の回転を停止させる場合には、ＣＰＵの消費電力を低減させることを特徴とする請求項１に記載の携帯型情報機器。
【請求項３】
前記所定の状態は、前記ファン装置の近傍に配置されている、前記キーボードの複数のキーが同時に押下された状態であることを特徴とする請求項１又は請求項２に記載の携帯型情報機器。 
【請求項４】
前記所定の状態は、前記ファン装置の近傍に配置されている、前記キーボードのキーが所定時間以上継続して押下された状態であること特徴とする請求項１又は請求項２に記載の携帯型情報機器。
【請求項５】
前記所定の状態は、前記ファン装置の近傍に配置されている、前記キーボードのキーが押下され、かつ、前記携帯型情報機器の傾きを検出した状態であることを特徴とする請求項１又は請求項２に記載の携帯型情報機器。 
【請求項６】
前記携帯型情報機器は、クラムシェル型のノートパソコンであることを特徴とする請求項１〜請求項５のいずれか１つに記載の携帯型情報機器。 
【請求項７】
前記携帯型情報機器は、タブレットパソコン構成及びノートパソコン構成を取ることが可能なコンバーチブル型のノートパソコンであることを特徴とする請求項１〜請求項５のいずれか１つに記載の携帯型情報機器。 
【請求項８】
筐体内にファン装置を備えた携帯型情報機器のファン制御方法であって、
前記筐体の前記ファン装置に対応する部分に対するユーザによる把持を検出する検出工程と、
前記検出工程で、前記筐体の前記ファン装置に対応する部分に対するユーザによる把持を検出した場合に、前記ファン装置の回転を停止させる制御工程と、
を含み、
前記ファン装置は、キーボードの下方に配置され、
前記検出工程では、前記ファン装置の近傍に配置されている、前記キーボードの１又は複数のキーの押下を含む所定の状態を検出した場合に、前記筐体の前記ファン装置に対応する部分に対するユーザによる把持を検出することを特徴とする携帯型情報機器のファン制御方法。 
【請求項９】
筐体内にファン装置を備えた携帯型情報機器に搭載されるプログラムであって、
前記筐体の前記ファン装置に対応する部分に対するユーザによる把持を検出する検出工程と、
前記検出工程で、前記筐体の前記ファン装置に対応する部分に対するユーザによる把持を検出した場合に、前記ファン装置の回転を停止させる制御工程と、
をコンピュータに実行させ、
前記ファン装置は、キーボードの下方に配置され、
前記検出工程では、前記ファン装置の近傍に配置されている、前記キーボードの１又は複数のキーの押下を含む所定の状態を検出した場合に、前記筐体の前記ファン装置に対応する部分に対するユーザによる把持を検出することを特徴とするコンピュータが実行可能なプログラム。
【請求項１０】
筐体内に回転体駆動装置を備えた携帯型情報機器であって、
前記筐体の前記回転体駆動装置に対応する部分に対するユーザによる把持を検出する検出手段と、
前記検出手段が、前記筐体の前記回転体駆動装置に対応する部分に対するユーザによる把持を検出した場合に、前記回転体駆動装置の回転を停止させる制御手段と、
を備え、
前記回転体駆動装置は、キーボードの下方に配置され、
前記検出手段は、前記回転体駆動装置の近傍に配置されている、前記キーボードの１又は複数のキーの押下を含む所定の状態を検出した場合に、前記筐体の前記回転体駆動装置に対応する部分に対するユーザによる把持を検出することを特徴とする携帯型情報機器。
【発明の詳細な説明】
【技術分野】
【０００１】
本発明は、携帯型情報機器、携帯型情報機器のファン制御方法、及びコンピュータが実行可能なプログラムに関する。
【背景技術】
【０００２】
ノート型パーソナルコンピュータ等の携帯型情報機器には、その機器筐体の内部にＣＰＵやグラフィックチップ等の発熱体が配設されている。そこで、携帯型情報機器の機器筐体の内部には、これらの発熱体を冷却するためのファン装置が搭載されることが多い。
【０００３】
ところで、近年、ノートブック型パーソナルコンピュータ等の携帯型情報機器では、薄型化の要望が大きくなっている。そのため、機器筐体やその内部に配設されるファン装置等の機器も薄型化が進められており、機器筐体と機器との間の隙間も小さなものとなってきている。このため、例えば、使用者がキーボード装置を強く押下操作したり、機器筐体の上下面を掴むように把持して外力を加えた場合には、機器筐体が内側に撓み、機器筐体の壁面が内部の機器に干渉する可能性がある。
【０００４】
より具体的には、撓んだ機器筐体によってファン筐体の上面が押圧され、或いはこの上面に開口した吸気口の内側へと機器筐体が入り込み、ファン装置の回転部と干渉する可能性がある。機器筐体とファン装置とが干渉すると、その円滑な回転が阻害されて異音が発生したり、或いは回転ができなくなり、干渉の度合いによっては、ファン装置が変形したり、破損してしまう等の異常が発生してしまうという懸念がある。
【先行技術文献】
【特許文献】
【０００５】
【特許文献１】特開２０１４−４２３８５号公報
【特許文献２】特開２０１３−２４０２３３号公報
【発明の概要】
【発明が解決しようとする課題】
【０００６】
本発明は、上記に鑑みてなされたものであり、ファン装置が外力を受けることによる異常の発生を防止することが可能な携帯型情報機器、携帯型情報機器のファン制御方法、及びコンピュータが実行可能なプログラムを提供することを目的とする。
【課題を解決するための手段】
【０００７】
上述した課題を解決し、目的を達成するために、本発明は、筐体内にファン装置を備えた携帯型情報機器であって、前記筐体の前記ファン装置に対応する部分に対するユーザによる把持を検出する検出手段と、前記検出手段が、前記筐体の前記ファン装置に対応する部分に対するユーザによる把持を検出した場合に、前記ファン装置の回転を停止させる制御手段と、を備えたことを特徴とする。
【０００８】
また、本発明の好ましい態様によれば、前記制御手段は、前記ファン装置の回転を停止させる場合には、ＣＰＵの消費電力を低減させることが望ましい。
【０００９】
また、本発明の好ましい態様によれば、前記ファン装置は、キーボードの下方に配置され、前記検出手段は、前記ファン装置の近傍に配置されている、前記キーボードの複数のキーが同時に押下されたことを検出した場合に、前記筐体の前記ファン装置に対応する部分に対するユーザによる把持を検出することが望ましい。
【００１０】
また、本発明の好ましい態様によれば、前記ファン装置は、キーボードの下方に配置され、前記検出手段は、前記ファン装置の近傍に配置されている、前記キーボードのキーが所定時間以上継続して押下されたことを検出した場合に、前記筐体の前記ファン装置に対応する部分に対するユーザによる把持を検出することが望ましい。
【００１１】
また、本発明の好ましい態様によれば、前記ファン装置は、キーボードの下方に配置され、前記検出手段は、前記ファン装置の近傍に配置されている、前記キーボードのキーが押下されたことを検出し、かつ、前記携帯型情報機器の傾きを検出した場合に、前記筐体の前記ファン装置に対応する部分に対するユーザによる把持を検出することが望ましい。
【００１２】
また、本発明の好ましい態様によれば、前記携帯型情報機器は、クラムシェル型のノートパソコンであることが望ましい。
【００１３】
また、本発明の好ましい態様によれば、前記携帯型情報機器は、タブレットパソコン構成及びノートパソコン構成を取ることが可能なコンバーチブル型のノートパソコンであることが望ましい。
【００１４】
上述した課題を解決し、目的を達成するために、本発明は、筐体内にファン装置を備えた携帯型情報機器のファン制御方法であって、前記筐体の前記ファン装置に対応する部分に対するユーザによる把持を検出する検出工程と、前記検出工程で、前記筐体の前記ファン装置に対応する部分に対するユーザによる把持を検出した場合に、前記ファン装置の回転を停止させる制御工程と、を含むことを特徴とする。
【００１５】
上述した課題を解決し、目的を達成するために、本発明は、筐体内にファン装置を備えた携帯型情報機器に搭載されるプログラムであって、前記筐体の前記ファン装置に対応する部分に対するユーザによる把持を検出する検出工程と、前記検出工程で、前記筐体の前記ファン装置に対応する部分に対するユーザによる把持を検出した場合に、前記ファン装置の回転を停止させる制御工程と、をコンピュータに実行させることを特徴とする。
【００１６】
上述した課題を解決し、目的を達成するために、本発明は、筐体内に回転体駆動装置を備えた携帯型情報機器であって、前記筐体の前記回転体駆動装置に対応する部分に対するユーザによる把持を検出する検出手段と、前記検出手段が、前記筐体の前記回転体駆動装置に対応する部分に対するユーザによる把持を検出した場合に、前記回転体駆動装置の回転を停止させる制御手段と、を備えたことを特徴とする。
【発明の効果】
【００１７】
本発明によれば、ファン装置が外力を受けることによる異常の発生を防止することが可能となるという効果を奏する。
【図面の簡単な説明】
【００１８】
【図１】図１は、実施の形態に係る携帯型情報機器の一例であるノートＰＣを概略的に示す斜視図である。
【図２】図２は、冷却装置の要部を左方から見た場合の斜視図である。
【図３】図３は、ノートＰＣの筐体のファン装置に対応する部分がユーザにより把持されている状態を示す図である。
【図４】図４は、図２のファン装置の概略の部分断面図を示している。
【図５】図５は、ノートＰＣの概略の構成を示すハードウェア構成図である。
【図６】図６は、エンベデッド・コントローラにより実行されるファン装置故障防止処理の概略の一例を説明するためのフローチャートである。
【図７】図７は、変形例１に係る携帯型情報機器のノートＰＣ構成を示す斜視図である。
【図８】図８は、変形例１に係る携帯型情報機器のタブレットＰＣ構成（キーボードが上向きの状態）を示す斜視図である。
【図９】図９は、変形例１に係る携帯型情報機器のタブレットＰＣ構成（タッチスクリーンが上向きの状態）を示す斜視図である。
【図１０】図１０は、図８に示す携帯型情報機器をユーザが把持した状態を示す図である。
【発明を実施するための形態】
【００１９】
以下、本発明に係る携帯型情報機器、携帯型情報機器のファン制御方法、及びコンピュータが実行可能なプログラムの実施の形態について説明する。本発明の構成要素は、本明細書の図面に一般に示してあるが、様々な構成で広く多様に配置し設計してもよいことは容易に理解できる。したがって、本発明の装置、方法、及びプログラムの実施の形態についての以下のより詳細な説明は、特許請求の範囲に示す本発明の範囲を限定するものではなく、単に本発明の選択した実施の形態の一例を示すものであって、本明細書の特許請求の範囲に示す本発明と矛盾無く装置、システム及び方法についての選択した実施の形態を単に示すものである。当業者は、特定の細目の１つ以上が無くても、又は他の方法、部品、材料でも本発明を実現できることが理解できる。また、本実施の形態や変形例は単独又は組み合わせて実施してもよい。
【００２０】
（実施の形態）
以下に添付図面を参照して、本実施の形態に係る携帯型情報機器をノートブック型パーソナルコンピュータに適用した場合について詳細に説明する。
【００２１】
図１は、実施の形態に係る携帯型情報機器の一例であるノートブック型パーソナルコンピュータ（以下、単に「ノートＰＣ」とも称する）を示す斜視図である。図１に示すノートＰＣは、いわゆるクラムシェル型のラップトップＰＣである。図１に示すように、ノートＰＣ１は、本体筐体１０及び蓋体１１を備えている。
【００２２】
本体筐体１０は、上面部１２、左側面部１３、右側面部１４、前面部１５、後面部１６及び図示せぬ底面部から構成される箱状物である。本体筐体１０の上面部１２には、キーボード装置１７及びタッチパッド１８が設けてある。キーボード装置１７は、詳細は図に明示しないが、金属板によって構成したベース部材の上面にメンブレンスイッチシート及び複数のキー（トップ）１７ａを配設して構成した入力装置である。本体筐体１０及びキーボード装置１７を「筐体」とも称する。上面部１２において手前側に位置する部位にはパームレスト１９が設けてある。
【００２３】
蓋体１１は、本体筐体１０の上面部１２に対向する面に液晶ディスプレイや有機ＥＬディスプレイ等から構成される表示装置２１を備えたものであり、本体筐体１０の奥側縁部にヒンジ部２２によってその下端部が回転可能に支持されている。この蓋体１１は、本体筐体１０に対して開いた場合に本体筐体１０の手前側に向けて表示装置２１を露出させるとともに、本体筐体１０の上面を開放した状態となる。一方、ヒンジ部２２を介して回転させれば、本体筐体１０の上面部１２及び表示装置２１を同時に覆うカバーとして機能する。
【００２４】
本体筐体１０の左側面部１３における奥側には、複数の排気口２３が前後方向に並ぶ態様で並設してある。排気口２３は、本体筐体１０の内部に配設される冷却装置３０（図２参照）から送出される空気を外部に排出させるための矩形状の開口である。尚、図示は省略するが、本体筐体１０の右側面部１４や後面部１６、あるいは底面部等には、外部の空気を本体筐体１０の内部に取り入れるための吸気口が設けてある。
【００２５】
本体筐体１０の内部には、図示せぬＣＰＵ、メモリ、及び電源等の動作により発熱する複数の電子部品（不図示）と、これら複数の電子部品を冷却させるための冷却装置３０（図２参照）と、ＸＹＺ軸方向の加速度を検出してノートＰＣ１の傾きを検出するための加速度センサ５０とが収容してある。
【００２６】
図２は、冷却装置３０の要部を左方から見た場合の斜視図であり、一部の内部構造を露出させた状態で示している。図３はノートＰＣ１の筐体のファン装置３３に対応する部分がユーザにより把持されている状態を示す図である。図４は図２のファン装置３３の概略の部分断面図を示している。
【００２７】
冷却装置３０は、図２に示すように、本体筐体１０の左側面側部１３の後面部１６側に配置されている。冷却装置３０は、放熱ユニット３１及びファン装置３３を備えた構成である。放熱ユニット３１は、上面を構成する上方伝熱板３１１と、下面を構成する下方伝熱板３１２との間に複数の放熱部材である放熱フィン３１３を所定の間隔毎に立設させる態様で並設させて構成したものであり、その全体形状は、直方状をなしている。ここで、上方伝熱板３１１及び下方伝熱板３１２、並びに放熱フィン３１３は、例えば銅やアルミニウム合金等の熱伝導率の高い金属材料から構成してある。このような放熱ユニット３１には、放熱フィン３１３の並設方向（前後方向）に沿って多数の開口が形成してあり、内側（右側）の開口（不図示）から空気を導入し、外側（左側）の開口（不図示）から空気を送出して、排気口２３から外部に空気を排出する。
【００２８】
ファン装置３３は、例えば、駆動源となるモータ部３３１と、モータ部３３１によって回転駆動される回転部３３２と、回転部３３２の外周側に設けられ、放射状に広がる複数枚の羽根を備えたインペラ部３３３と、モータ部３３１、回転部３３２、及びインペラ部３３３を収納するファン筐体３３４とを備えている（図４参照）。回転部３３２は、シャフト３３２ａとシャフト３３２ａの頭部に設けられた蓋頭部３３２ｂとで構成されている。ファン筐体３３４は、上面カバー部３３４ａ、側面カバー部３３４ｂ、及び下面カバー部３３４ｃとで構成されている。このファン装置３３は、いわゆる遠心式ファンと称されるものであり、駆動させた場合に回転部３３２の径方向（遠心方向）に空気を送り出すように構成されている。なお、ファン装置３３は、各種タイプのファン装置を使用することができ、例えば、流体動圧軸受を使用したファン装置を使用することにしてもよい。
【００２９】
図３及び図４に示すように、ファン装置３３に対応する部分の本体筐体１０（筐体）が手で把持され、本体筐体１０が潰れ方向にある程度撓むと、例えば、ファン装置３０の上方に配置され、かつキーボード装置１７の下側に配置された本体筐体１０のベースプレート１０ａが、ファン筐体３３４の上面カバー部３３４ａに干渉してこれを押圧変形させ、さらに、上面カバー部３３４ａの開口部３３４ａ１内に入り込み、ファン装置３３の回転部３３２やインペラ部３３３に直接的に干渉する恐れがある。
【００３０】
そこで、本実施の形態では、本体筐体１０のファン装置３３に対応する部分がユーザにより把持されたことを検出した場合に、ファン装置３３のモータ部３３１の回転を停止させて、ファン装置３３が外力を受けることによる異常の発生を防止している。さらに、本実施の形態では、センサを新たに設けることなく、キーボード装置１７のキーの押下を検出することにより、本体筐体１０のファン装置３３に対応する部分がユーザにより把持されたか否かを判定している。
【００３１】
図５は、ノートＰＣ１の概略の構成を示すハードウェア構成図である。ＣＰＵ５１はメモリ・コントローラとＰＣＩ  Ｅｘｐｒｅｓｓコントローラを内蔵しており、メイン・メモリ５６、ビデオカード５５およびチップセット５８に接続されている。ＣＰＵ５１は、ノートＰＣ１の中枢機能を担う演算処理装置で、ＯＳ（例えば、ｗｉｎｄｏｗｓ（登録商標））、ＢＩＯＳ、デバイス・ドライバ、あるいはアプリケーションプログラムなどを実行する。ＣＰＵ５１はノートＰＣ１の電子デバイスの中でも消費電力が大きく、かつ、発熱量も多い。ＣＰＵ５１は、スピード・ステップ（ＳＳ）という技術及びスロットリング（Ｔｈｒｏｔｔｌｉｎｇ）という技術に対応している。スピード・ステップは米国インテル社が開発した、ＣＰＵの動作電圧及び動作周波数の値を自由に設定できる技術である。スピード・ステップでは、システムがある状態のときに許可する最大の動作周波数をＢＩＯＳ６１がＣＰＵ５１のレジスタに設定することにより、実際に当該ＣＰＵ５１が動作する動作周波数を段階的に低減させることができる。
【００３２】
ＣＰＵ５１は動作周波数を低減させるときに同時に当該動作周波数でＣＰＵ５１を動作させるのに必要な値まで動作電圧を低減させる。ＣＰＵ５１は、スピード・ステップを実行するときに、エンベデッド・コントローラ５２に指示してＤＣ／ＤＣコンバータ４４に、ＣＰＵ５１の電圧を設定した最大動作周波数に適合するよう変更させる。スピード・ステップによりＣＰＵ５１の消費電力が低減する（消費電力が低減すると発熱量も低減する。）。スロットリングは、ＣＰＵ５１を一定間隔で動作及び停止させて間欠動作をさせることにより平均的な処理速度を切り替える機能である。スロットリングを実行するには、ＢＩＯＳ（不図示）がＣＰＵ５１のレジスタにスロットリングの有効／無効の設定及びデューティ比（スロットリング率）を設定する。スピード・ステップもスロットリングも段階的にＣＰＵ５１の消費電力（発熱量）を変化させることができる。
【００３３】
ビデオカード５５は、画像表示に関連する機能を実現するためのサブシステムであり、ビデオコントローラを含んでいる。このビデオコントローラは、ＣＰＵ５１からの描画命令を処理し、処理した描画情報をビデオメモリに書き込むと共に、ビデオメモリからこの描画情報を読み出して、表示装置２１に描画データとして出力している。
【００３４】
メイン・メモリ５６は、ＣＰＵ５１の実行プログラムの読み込み領域として、あるいは実行プログラムの処理データを書き込む作業領域として利用される書き込み可能メモリである。例えば、複数個のＤＲＡＭチップで構成される。この実行プログラムには、ＡＣＰＩ（Ａｄｖａｎｃｅｄ  Ｃｏｎｆｉｇｕｒａｔｉｏｎ  ａｎｄ  Ｐｏｗｅｒ  Ｉｎｔｅｒｆａｃｅ）に基づく電力制御が可能なＯＳ（例えば、Ｗｉｎｄｏｗｓ（登録商標）ＸＰ、Ｖｉｓｔａ、７、８、８．１等）、周辺機器類をハードウェア操作するための各種ドライバ、ユーティリティプログラム、特定業務を実行するためのアプリケーションプログラム等が含まれる。これら実行プログラムは、ストレージデバイス（ＨＤＤやＳＤＤ）２０に格納されている。
【００３５】
チップセット５８は、ＳＡＴＡ、ＵＳＢ、ＰＣＩ  Ｅｘｐｒｅｓｓ、ＬＰＣなどのコントローラおよびＲＴＣ（Ｒｅａｌ  Ｔｉｍｅ  Ｃｌｏｃｋ）を内蔵している。ＳＡＴＡコントローラにはストレージデバイス２０が接続され、ＰＣＩ  ＥｘｐｒｅｓｓコントローラにはＬＡＮカード５３が接続され、ＵＳＢコントローラにはＵＳＢレセプタクル５９が接続される。ＬＡＮカード５３には、ＲＪ４５レセプタクル５５が接続されている。ＬＰＣコントローラには、エンベデッド・コントローラ５２が接続されている。
【００３６】
エンベデッド・コントローラ５２は、キーボード装置１７、タッチパッド１８、電源回路４０、ファン駆動部７０、及び加速度センサ５０に接続されている。エンベデッド・コントローラ５２は、プロセッサ、プロセッサが実行する制御プログラム（ＦＷ）を格納したＲＯＭ、ＲＡＭなどで構成されたマイクロ・コンピュータであり、さらに複数チャネルのＡ／Ｄ入力端子、Ｄ／Ａ出力端子、タイマー、及びディジタル入出力端子を備えている。エンベデッド・コントローラ５２は、ノートＰＣ１の内部の動作環境の管理にかかるプログラムをＣＰＵ５１とは独立して実行させることができる。
【００３７】
エンベデッド・コントローラ５２は、キーボード装置１７やタッチパッド１８の制御を行う。キーボード装置１７は、所定規格のキーボードであり、文字、コマンド等を入力する各種キーより構成され、押下されたキーの情報をエンベデッド・コントローラ５２に出力する。エンベデッド・コントローラ５２は、キーボード装置１７から入力される、押下されたキーの情報に基づいて、押下されたキーを検出する。
【００３８】
タッチパッド１８は、画面上のカーソルを移動させるポインティングデバイスであり、操作された座標情報をエンベデッド・コントローラ５２に出力する。
【００３９】
また、エンベデッド・コントローラ５２は、加速度センサ５０の制御を行う。加速度センサ５０は、３軸（Ｘ／Ｙ／Ｚ軸）の加速度を検出して加速度情報をエンベデッド・コントローラ５２に出力する。エンベデッド・コントローラ５２は、加速度センサ５０により得られた加速度情報を解析することにより、ノートＰＣ１の振動や傾き等を検出する。
【００４０】
また、エンベデッド・コントローラ５２は、電源回路４０を制御する。電源回路４０は、主として、ＡＣ／ＤＣアダプタ４１、主電池パック４５１、パワーコントローラ４２、充電器４３、及びＤＣ／ＤＣコンバータ４４で構成されている。
【００４１】
エンベデッド・コントローラ５２は、パワーコントローラ４２を介してＤＣ／ＤＣコンバータ４４を制御して、ノートＰＣ１に実装されたシステム・デバイスに電力を供給する。パワーコントローラ４２は、ノートＰＣ１の電源を制御する半導体ロジック回路であり、エンベデッド・コントローラ５２からの指示に基づいてＤＣ／ＤＣコンバータ４４を制御する。ＤＣ／ＤＣコンバータ４４は、主電池パック４５又はＡＣ／ＤＣアダプタ４１から供給される直流電圧を複数の電圧に変換してシステム・デバイスに電力を供給する。
【００４２】
エンベデッド・コントローラ５２は、ＡＣ／ＤＣアダプタ４１が商用電源に接続されている場合には、ＡＣ／ＤＣアダプタ４１から供給される直流電圧を複数の電圧に変換してシステム・デバイスに電力を供給するように制御し（ＡＣ駆動）、また、充電器４３を制御して、主電池パック１０１を充電する。他方、エンベデッド・コントローラ５２は、ＡＣ／ＤＣアダプタ４１が商用電源に接続されていない場合には、主電池パック４５から供給される直流電圧を複数の電圧に変換してシステム・デバイスに電力を供給するように制御する（バッテリ駆動）。
【００４３】
ファン駆動部７０は、エンベデッド・コントローラ５２の制御に従って、ファン装置３３を駆動するドライブ回路である。エンベデッド・コントローラ５２は、ファン駆動部７０を介して、ファン装置３３のモータ部３３１（「ファン装置３３の回転」とも称する）のオン／オフ制御及び回転速度の段階的な制御を行う。エンベデッド・コントローラ５２は、ファン装置３３の回転をＯＮ／ＯＦＦさせる制御信号及び回転速度を指示する制御信号をファン駆動部７０に出力する。ファン駆動部７０は、エンベデッド・コントローラ５２から入力される制御信号に基づいて、ファン装置３３の回転のオン／オフ制御及び回転速度の段階的な制御を行う。
【００４４】
また、エンベデッド・コントローラ５２は、ファン装置３３の故障（異常発生）を防止するために、キーボード装置１７及び加速度センサ５０の検出結果に基づいて、ファン装置３３の回転を停止させるファン装置故障防止処理を実行する。より具体的には、エンベデッド・コントローラ５２は、本体筐体１０のファン装置３３に対応する部分（ファン装置３３の近傍に存在する本体筐体１０の部分）に対するユーザによる把持を検出し、筐体筐体１０のファン装置３３に対応する部分に対するユーザによる把持を検出した場合に、ファン装置３３の回転を停止させる。エンベデッド・コントローラ５２は、例えば、ファン装置３３の近傍（直上）に配置された複数のキーが同時に押下されたことを検出した場合、ファン装置３３の近傍に配置されたキーが所定時間以上継続して押下されたことを検出した場合、又は、ファン装置３３の近傍に配置されたキーが押下され、かつ、ノートＰＣ１の傾きを検出した場合に、本体筐体１０のファン装置３３に対応する部分に対するユーザによる把持を検出する。
【００４５】
図６は、上記エンベデッド・コントローラ５２により実行されるファン装置故障防止処理の概略の一例を説明するためのフローチャートである。図６に示すファン装置故障防止処理は繰り返し実行される。図６において、エンベデッド・コントローラ５２は、キーボード装置１７のキーが押下されたか否かを検出する（ステップＳ１）。キーボード装置１７のキーが押下されていない場合には（ステップＳ１の「Ｎｏ」）、ステップＳ６に移行する。
【００４６】
キーボード装置１７のキーの押下を検出すると（ステップＳ１の「Ｙｅｓ」）、エンベデッド・コントローラ５２は、押下されたキーは、ファン装置３３の近傍に配置されているキーであるか否かを判断する（ステップＳ２）。ファン装置３３の近傍に配置されているキーは、例えば、ファン装置３３の直上に配置されているキーであり、例えば、「ＥＳＣ」、「Ｆ１」、「Ｆ２」、「Ｆ３」、「Ｆ４」、「１」、「２」、「３」、「４」、「←→」、「Ｑ」、「Ｗ」、「Ｅ」、「Ｒ」、「Cａｐｓ  Ｌｏｃｋ」、「Ａ」、「Ｓ」、「Ｄ」、「Ｆ」等のキーである。
【００４７】
押下されたキーがファン装置３３の近傍に配置されているキーでない場合には（ステップＳ２の「Ｎｏ」）、ステップＳ６に移行する。押下されたキーがファン装置３３の近傍に配置されているキーである場合には（ステップＳ２の「Ｙｅｓ」）、エンベデッド・コントローラ２２は、押下されたキーが複数であるか否かを判断する（ステップＳ３）。ユーザがノートＰＣ１を把持して移動等する場合には、キーボード装置１７の複数のキーが押されることが多いためである。
【００４８】
押下されたキーが複数である場合には（ステップＳ３の「Ｙｅｓ」）、ステップＳ７に移行する。押下されたキーが複数でない場合には（ステップＳ３の「Ｎｏ」）、エンベデッド・コントローラ５２は、キーが所定時間（例えば、３秒）以上継続して押下されたか否かを判断する（ステップＳ４）。ユーザがノートＰＣ１を把持して移動等する場合には、キーボード装置１７のキーが長時間押されることが多いためである。
【００４９】
キーが所定時間以上継続して押下された場合には（ステップＳ４の「Ｙｅｓ」）、ステップＳ７に移行する。キーが所定時間以上継続して押下されていない場合には（ステップＳ４の「Ｎｏ」）、エンベデッド・コントローラ５２は、ノートＰＣ１が傾いているか否かを判断する（ステップＳ５）。ユーザがノートＰＣ１を把持して移動等する場合には、ノートＰＣ１が傾けられることが多いためである。
【００５０】
ノートＰＣ１が傾いている場合には（ステップＳ５の「Ｙｅｓ」）、ステップＳ７に移行する。ノートＰＣ１が傾いていない場合には（ステップＳ５の「Ｎｏ」）、ステップＳ６に移行する。
【００５１】
ステップＳ６では、エンベデッド・コントローラ５２は、筐体のファン装置３３に対応する部分が把持されていないと判定する。
【００５２】
ステップＳ７では、エンベデッド・コントローラ５２は、筐体のファン装置３３に対応する部分が把持されていると判定して、ファン装置３３の回転を停止させる（ステップＳ８）。さらに、エンベデッド・コントローラ５２は、ファン装置３３を停止させる場合には、ＣＰＵ５１の消費電力の低減を指示するコマンドをＣＰＵ５１に送信し、ＣＰＵ５１は、エンベデッド・コントローラ５２から消費電力の低減を指示するコマンドを受け取ると、例えば、上述のスピード・ステップやスロットリングにより、ＣＰＵ５１の消費電力（発熱量）を低減させることにしてもよい。これにより、ファン装置３３を停止させた場合のＣＰＵ５１の発熱を低減することが可能となる。
【００５３】
以上説明したように、本実施の形態によれば、エンベデッド・コントローラ５２は、筐体のファン装置３３に対応する部分に対するユーザによる把持を検出した場合には、ファン装置３３の回転を停止させることとしたので、ファン装置３３が外力を受けることによる異常の発生（異音の発生、回転変動、回転不能、ファン装置の変形・破損等）を防止することが可能となる。
【００５４】
また、本実施の形態によれば、エンベデッド・コントローラ５２は、ファン装置３３の回転を停止させる場合には、ＣＰＵ５１の消費電力を低減させることとしたので、ファン装置３３の回転を停止させても、ＣＰＵ５１の発熱を防止することが可能となる。
【００５５】
また、本実施の形態によれば、エンベデッド・コントローラ５２は、ファン装置３３の近傍に配置された複数のキーが同時に押下されたことを検出した場合、ファン装置３３の近傍に配置されたキーが所定時間以上継続して押下されたことを検出した場合、又は、ファン装置３３の近傍に配されたキーが押下され、かつ、ノートＰＣ１の傾きを検出した場合に、筐体のファン装置３３に対応する部分に対するユーザによる把持を検出することとしたので、新たなセンサを設けることなく、低コストな構成でユーザによる把持を検出することが可能となる。
【００５６】
（変形例１）
上記実施の形態では、ファン装置３３を本体筐体１０の左側面側部１３の後面部１６側に配置した例を示したが、ファン装置３３を配置する位置はこれに限られるものではなく、他の位置に配置することにしてもよい。また、携帯型情報機器の一例として、クラムシェル型のノートパソコンを示したが、これに限られるものではなく、例えば、タブレット構成及びノートパソコン構成を取ることが可能なコンバーチブル型のノートパソコンとしてもよい。
【００５７】
図７〜図１０を参照して変形例１を説明する。変形例１に係る携帯型情報機器は、いわゆるコンバーチブル型のノートパソコンであり、ノートＰＣ及びタブレットＰＣとして使用することができる。図７は、変形例１に係る携帯型情報機器のノートＰＣ構成を示す斜視図である。図８は、変形例１に係る携帯型情報機器のタブレットＰＣ構成（キーボードが上向きの状態）を示す斜視図である。図９は、変形例１に係る携帯型情報機器のタブレットＰＣ構成（タッチスクリーンが上向きの状態）を示す斜視図である。図１０は、図８に示す携帯型情報機器をユーザが把持した状態を示す図である。
【００５８】
図７〜図９に示すように、コンバーチブル型のノートＰＣ１００は、ＬＣＤとＬＣＤ上に配置されたタッチセンサで構成されるタッチスクリーン１１６が配置されたディスプレイ側筐体１１１と、キーボード装置１１７及びタッチパッド１１８が配置された本体筐体１１２と、を備え、ディスプレイ側筐体１１１と本体筐体１１２は、一対のヒンジ（hinge）１２０を介して接続されている。本体筐体１１２は、加速度センサ１５０や奥側部１１９の略中央にファン装置１３０等を収納している。
【００５９】
一対のヒンジ１２０は、ディスプレイ側筐体１１１が本体筐体１１２に対して（Ｘ軸の周りを）実質的に３６０度回動可能にディスプレイ側筐体１１１と本体筐体１１２を連結している。
【００６０】
図７に示すように、ディスプレイ側筐体１１１を本体筐体１１２に対して、９０度〜１８０度回転させた状態がノートＰＣ構成である。図８及び図９に示すように、ディスプレイ側筐体１１１を本体筐体１１２に対して３６０度回転させた状態がタブレットＰＣ構成である。
【００６１】
図１０に示すように、ファン装置１３０に対応する部分の筐体がユーザにより把持されると、上述したように、ファン装置１３０に異常が発生する可能性があるので、上記実施の形態と同様なファン装置故障防止処理を行ってもよい。
【００６２】
（変形例２）
上記実施の形態では、ファン装置に対応する部分の筐体のユーザによる把持を、キーボード装置のキーの押下に基づいて検出することとしたが、これに限られるものではない。例えば、ファン装置の近傍の筐体の位置に近接センサを設け、近接センサでユーザの接触を検出した場合に、ファン装置に対応する筐体の部分がユーザにより把持されたと判定してもよい。また、タッチスクリーンのファン装置の近傍した部分がユーザによりタッチされた場合に、ファン装置に対応する部分の筐体がユーザにより把持されたと判定してもよい。
【００６３】
（変形例３）
上記実施の形態では、筐体のファン装置に対応する部分に対するユーザによる把持を検出した場合に、ファン装置の回転を停止させることとしたが、本発明では、ファン装置に限られるものではなく、外力が加えられると異常が発生する可能性のある他の回転体駆動装置にも適用可能である。他の回転体駆動装置は、例えば、光学ディスク装置やハードディスク装置等である。
【００６４】
エンベデッド・コントローラは、筐体の回転体駆動装置に対応する部分に対するユーザによる把持を検出した場合に、回転体駆動装置の回転を停止させることにしてもよい。筐体の回転体駆動装置に対応する部分に対するユーザによる把持を検出する方法は、上記と同様である。
【符号の説明】
【００６５】
１  ノートＰＣ（クラムシェル型ノートパソコン）
１０  本体筐体
１１  蓋体
１７  キーボード装置
１７ａ  キー（トップ）
１８  タッチパッド
２１  表示装置
２２  ヒンジ部
３０  冷却装置
３１  放熱ユニット
３３  ファン装置
４０  電源回路
５０  加速度センサ
５１  ＣＰＵ
５２  エンベデッド・コントローラ
５３  ＬＡＮカード
５５  ビデオカード
５８  チップセット
７０  ファン駆動部
１００  ノートＰＣ（コンバーチブル型ノートパソコン）
１１１  ディスプレイ側筐体
１１２  本体筐体
１１６  タッチスクリーン
１１７  キーボード装置
１１８  タッチパッド  
１１９  奥側部
１２０  ヒンジ
１３０  ファン装置
１５０  加速度センサ
３３１  モータ部
３３２  回転部
３３２ａ  シャフト
３３２ｂ  蓋頭部
３３４  ファン筐体
３３４ａ  上面カバー部
３３４ｂ  側面カバー部
３３４ｃ  下面カバー部
【図１】
0005992965.tif 000002
【図２】
0005992965.tif 000003
【図３】
0005992965.tif 000004
【図４】
0005992965.tif 000005
【図５】
0005992965.tif 000006
【図６】
0005992965.tif 000007
【図７】
0005992965.tif 000008
【図８】
0005992965.tif 000009
【図９】
0005992965.tif 000010
【図１０】
0005992965.tif 000011